(57)【要約】【課題】コンパクトな構成で広範囲かつ高分解能なＯＣＴ検査が可能な眼科手術用顕微鏡および眼科手術用アタッチメントを提供する。【解決手段】実施形態に係る眼科手術用顕微鏡は、対物レンズと、照明光源からの可視光を含む光が照射される絞りと、絞りを通過した光を平行光束にする１以上のレンズを有するレンズユニットとを含み、レンズユニットを通過した光を対物レンズを介して被検眼に照射する照明系と、照明系によって照明されている被検眼を対物レンズを介して観察するための観察系と、光コヒーレンストモグラフィによって被検眼を対物レンズを介して検査するためのＯＣＴ系と、絞りとレンズユニットとの間に配置され、ＯＣＴ系の光路を照明系の光路に結合する光路結合部材とを含む。【選択図】図２
2019013803.tif 000002
【特許請求の範囲】
【請求項１】
対物レンズと、
照明光源からの可視光を含む光が照射される絞りと、前記絞りを通過した光を平行光束にする１以上のレンズを有するレンズユニットとを含み、前記レンズユニットを通過した光を前記対物レンズを介して被検眼に照射する照明系と、
前記照明系によって照明されている前記被検眼を前記対物レンズを介して観察するための観察系と、
光コヒーレンストモグラフィによって前記被検眼を前記対物レンズを介して検査するためのＯＣＴ系と、
前記絞りと前記レンズユニットとの間に配置され、前記ＯＣＴ系の光路を前記照明系の光路に結合する光路結合部材と
を含む眼科手術用顕微鏡。
【請求項２】
対物レンズと、
照明光源からの可視光を含む光が照射される絞りと、前記絞りを通過した光を平行光束にする１以上のレンズを有するレンズユニットとを含み、前記レンズユニットを通過した光を前記対物レンズを介して被検眼に照射する照明系と、
前記照明系によって照明されている前記被検眼を前記対物レンズを介して観察するための観察系と、
光コヒーレンストモグラフィによって前記被検眼を前記対物レンズを介して検査するためのＯＣＴ系と、
前記レンズユニットと前記対物レンズとの間に配置され、前記ＯＣＴ系の光路を前記照明系の光路に結合する光路結合部材と
を含む眼科手術用顕微鏡。
【請求項３】
前記光路結合部材と前記対物レンズとの間に配置され、前記照明系の光路の光と前記ＯＣＴ系の光路の光とを前記対物レンズに向けて偏向する偏向部材を含む
ことを特徴とする請求項１または請求項２に記載の眼科手術用顕微鏡。
【請求項４】
前記偏向部材は、前記観察系の光路に配置されたビームスプリッターを含む
ことを特徴とする請求項３に記載の眼科手術用顕微鏡。
【請求項５】
前記ビームスプリッターは、前記観察系の光路と前記ＯＣＴ系の光路とを同軸に結合する
ことを特徴とする請求項４に記載の眼科手術用顕微鏡。
【請求項６】
前記照明系の光軸と前記ＯＣＴ系の光軸とは、前記偏向部材の反射面において異なる位置または異なる角度で入射するように配置されている
ことを特徴とする請求項２〜請求項５のいずれか一項に記載の眼科手術用顕微鏡。
【請求項７】
前記ＯＣＴ系は、
ＯＣＴ光源からの光を分割することにより得られた測定光および参照光のうち前記測定光を出射するとともに前記参照光と前記被検眼からの前記測定光の戻り光とを干渉させて干渉光を生成する干渉光学系から出射された前記測定光を平行光束にするコリメートレンズと、
前記コリメートレンズによって平行光束にされた前記測定光を２次元的に偏向する光スキャナーと、
前記光スキャナーと前記光路結合部材との間に配置されたＯＣＴレンズと
を含む
ことを特徴とする請求項１〜請求項６のいずれか一項に記載の眼科手術用顕微鏡。
【請求項８】
前記コリメートレンズを前記ＯＣＴ系の光軸に沿って移動させるフォーカス調整機構を含む
ことを特徴とする請求項７に記載の眼科手術用顕微鏡。
【請求項９】
前記眼科手術用顕微鏡に対して着脱可能に構成された眼科手術用アタッチメントを含み、
前記コリメートレンズ、前記光スキャナー、前記ＯＣＴレンズ、および前記光路結合部材は、前記眼科手術用アタッチメント内に設けられる
ことを特徴とする請求項７または請求項８に記載の眼科手術用顕微鏡。
【請求項１０】
前記照明系の光軸と前記ＯＣＴ系の光軸とを相対移動させる光軸調整機構を含む
ことを特徴とする請求項１〜請求項９のいずれか一項に記載の眼科手術用顕微鏡。
【請求項１１】
前記光軸調整機構は、ＯＣＴ光源からの光を分割することにより得られた測定光および参照光のうち前記測定光を出射するとともに前記参照光と前記被検眼からの前記測定光の戻り光とを干渉させて干渉光を生成する干渉光学系から出射された前記測定光の向きを変更することにより前記照明系の光軸と前記ＯＣＴ系の光軸とを相対移動させる
ことを特徴とする請求項１０に記載の眼科手術用顕微鏡。
【請求項１２】
対物レンズと、
照明光源からの可視光を含む光が照射される絞りと、前記絞りを通過した光を平行光束にする１以上のレンズを有するレンズユニットとを含み、前記レンズユニットを通過した光を前記対物レンズを介して被検眼に照射する照明系と、
前記照明系によって照明されている前記被検眼を前記対物レンズを介して観察するための観察系と
を含む眼科手術用顕微鏡に対して着脱可能に構成され、光コヒーレンストモグラフィによって前記被検眼を前記対物レンズを介して検査するための眼科手術用アタッチメントであって、
ＯＣＴ光源からの光を分割することにより得られた測定光および参照光のうち前記測定光を出射するとともに前記参照光と前記被検眼からの前記測定光の戻り光とを干渉させて干渉光を生成する干渉光学系から出射された前記測定光を平行光束にするコリメートレンズと、
前記コリメートレンズによって平行光束にされた前記測定光を２次元的に偏向する光スキャナーと、
前記光スキャナーによって偏向された前記測定光が通過するＯＣＴレンズと、
前記ＯＣＴレンズを通過した前記測定光の光路を前記照明系の光路に結合するための光路結合部材と
を含み、
前記眼科手術用顕微鏡に装着されているとき、前記光路結合部材が、前記絞りと前記レンズユニットとの間に配置される
眼科手術用アタッチメント。
【請求項１３】
対物レンズと、
照明光源からの可視光を含む光が照射される絞りと、前記絞りを通過した光を平行光束にする１以上のレンズを有するレンズユニットとを含み、前記レンズユニットを通過した光を前記対物レンズを介して被検眼に照射する照明系と、
前記照明系によって照明されている前記被検眼を前記対物レンズを介して観察するための観察系と
を含む眼科手術用顕微鏡に対して着脱可能に構成され、光コヒーレンストモグラフィによって前記被検眼を前記対物レンズを介して検査するための眼科手術用アタッチメントであって、
ＯＣＴ光源からの光を分割することにより得られた測定光および参照光のうち前記測定光を出射するとともに前記参照光と前記被検眼からの前記測定光の戻り光とを干渉させて干渉光を生成する干渉光学系から出射された前記測定光を平行光束にするコリメートレンズと、
前記コリメートレンズによって平行光束にされた前記測定光を２次元的に偏向する光スキャナーと、
前記光スキャナーによって偏向された前記測定光が通過するＯＣＴレンズと、
前記ＯＣＴレンズを通過した前記測定光の光路を前記照明系の光路に結合するための光路結合部材と
を含み、
前記眼科手術用顕微鏡に装着されているとき、前記光路結合部材が、前記レンズユニットと前記対物レンズとの間に配置される
眼科手術用アタッチメント。
【発明の詳細な説明】
【技術分野】
【０００１】
この発明は、眼科手術用顕微鏡および眼科手術用アタッチメントに関する。
【背景技術】
【０００２】
眼科分野においては、様々な手術が実施される。その代表例として白内障手術や網膜硝子体手術などがある。このような手術では眼科手術用顕微鏡が用いられる。眼科手術用顕微鏡は、照明系により照明された被検眼を観察系を介して肉眼観察したり画像撮影したりするために用いられる。
【０００３】
眼科手術用顕微鏡には、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）装置が搭載されたものがある（たとえば、特許文献１〜５を参照）。ＯＣＴ装置は、断面像や３次元画像の取得や、組織のサイズ（層の厚さ等）の測定や、機能的情報（血流情報等）の取得などに用いられる。
【０００４】
このようなＯＣＴ装置に要求される仕様として、高分解能であること、十分な強度のＯＣＴ信号が得られること、スキャン範囲が広いこと、コンパクトな構成であることなどが挙げられる。これら仕様を満足するには、眼科手術用顕微鏡の光路にＯＣＴ光路を結合する位置が重要である。
【０００５】
特許文献１〜４に開示された手術用顕微鏡においては、観察光路にＯＣＴ光路が結合されている。特許文献５に開示された手術用顕微鏡においては、照明光路にＯＣＴ光路が結合され、これら光路が観察光路に結合されている。
【先行技術文献】
【特許文献】
【０００６】
【特許文献１】特開２００８−２６４４８８号公報
【特許文献２】特開２００８−２６４４９０号公報
【特許文献３】特開２００８−２６８８５２号公報
【特許文献４】特開２００９−２３０１４１号公報
【特許文献５】特開２００８−２６４４８９号公報
【発明の概要】
【発明が解決しようとする課題】
【０００７】
特許文献１〜４のようにＯＣＴ光路を観察光路に結合する構成には、観察光路に配置されたレンズの径の制限により十分な分解能が得られないという問題がある。この問題を回避するために対物レンズと被検眼との間の位置においてＯＣＴ光路を観察光路に結合する構成も考えられるが、装置がコンパクトにならないという問題や、術者が行う手技や操作の邪魔になるという問題が発生する。また、特許文献５に開示された構成では、照明光を平行光束にするためのレンズ群（レンズユニット）を構成するレンズの間の位置で照明光路とＯＣＴ光路とが結合されているため、光学設計が複雑になり、手術用顕微鏡のコンパクト化や手術用顕微鏡に対して装着可能なＯＣＴ装置のモジュール化が困難になるという問題がある。
【０００８】
この発明は、このような問題を解決するためになされたものであり、その目的は、コンパクトな構成で広範囲かつ高分解能なＯＣＴ検査が可能な眼科手術用顕微鏡および眼科手術用アタッチメントを提供することにある。
【課題を解決するための手段】
【０００９】
実施形態に係る眼科手術用顕微鏡は、対物レンズと、照明光源からの可視光を含む光が照射される絞りと、絞りを通過した光を平行光束にする１以上のレンズを有するレンズユニットとを含み、レンズユニットを通過した光を対物レンズを介して被検眼に照射する照明系と、照明系によって照明されている被検眼を対物レンズを介して観察するための観察系と、光コヒーレンストモグラフィによって被検眼を対物レンズを介して検査するためのＯＣＴ系と、絞りとレンズユニットとの間またはレンズユニットと対物レンズとの間に配置され、ＯＣＴ系の光路を照明系の光路に結合する光路結合部材とを含む。
実施形態に係る眼科手術用アタッチメントは、対物レンズと、照明光源からの可視光を含む光が照射される絞りと、絞りを通過した光を平行光束にする１以上のレンズを有するレンズユニットとを含み、レンズユニットを通過した光を対物レンズを介して被検眼に照射する照明系と、照明系によって照明されている被検眼を対物レンズを介して観察するための観察系とを含む眼科手術用顕微鏡に対して着脱可能に構成され、光コヒーレンストモグラフィによって被検眼を対物レンズを介して検査するための眼科手術用アタッチメントであって、ＯＣＴ光源からの光を分割することにより得られた測定光および参照光のうち測定光を出射するとともに参照光と被検眼からの測定光の戻り光とを干渉させて干渉光を生成する干渉光学系から出射された測定光を平行光束にするコリメートレンズと、コリメートレンズによって平行光束にされた測定光を２次元的に偏向する光スキャナーと、光スキャナーによって偏向された測定光が通過するＯＣＴレンズと、ＯＣＴレンズを通過した測定光の光路を照明系の光路に結合するための光路結合部材とを含み、眼科手術用顕微鏡に装着されているとき、光路結合部材が、絞りとレンズユニットとの間またはレンズユニットと対物レンズとの間に配置される。
【発明の効果】
【００１０】
この発明に係る眼科手術用顕微鏡や眼科手術用アタッチメントによれば、コンパクトな構成で広範囲かつ高分解能なＯＣＴ検査が可能になる。
【図面の簡単な説明】
【００１１】
【図１】実施形態に係る眼科手術用顕微鏡の光学系の構成例を示す概略図。
【図２】実施形態に係る眼科手術用顕微鏡の光学系の構成例を示す概略図。
【図３】実施形態に係る眼科手術用顕微鏡の光学系の構成例を示す概略図。
【図４Ａ】実施形態に係る眼科手術用顕微鏡の動作説明図。
【図４Ｂ】実施形態に係る眼科手術用顕微鏡の動作説明図。
【図５Ａ】実施形態に係る眼科手術用顕微鏡の動作説明図。
【図５Ｂ】実施形態に係る眼科手術用顕微鏡の動作説明図。
【図６】実施形態に係る眼科手術用顕微鏡の光学系の構成例を示す概略図。
【図７】実施形態に係る眼科手術用顕微鏡の光学系の構成例を示す概略図。
【図８Ａ】実施形態に係る眼科手術用顕微鏡の動作説明図。
【図８Ｂ】実施形態に係る眼科手術用顕微鏡の動作説明図。
【図９】実施形態に係る眼科手術用顕微鏡の光学系の構成例を示す概略図。
【図１０】実施形態に係る眼科手術用顕微鏡の光学系の構成例を示す概略図。
【図１１】実施形態に係る眼科手術用顕微鏡の光学系の構成例を示す概略図。
【図１２Ａ】実施形態に係る眼科手術用顕微鏡の動作説明図。
【図１２Ｂ】実施形態に係る眼科手術用顕微鏡の動作説明図。
【発明を実施するための形態】
【００１２】
この発明に係る眼科手術用顕微鏡および眼科手術用アタッチメントの実施形態の一例について、図面を参照しながら詳細に説明する。以下の実施形態に係る眼科手術用顕微鏡は、眼科手術において使用される。実施形態に係る眼科手術用顕微鏡は、照明系により被検眼（患者眼）を照明し、その戻り光を観察系に入射させることにより、被検眼の観察像を取得する装置である。眼科手術用アタッチメントは、眼科手術用顕微鏡に対して着脱可能に構成される。
【００１３】
以下の実施形態に係る眼科手術用顕微鏡は、ＯＣＴ光学系の少なくとも一部を含む眼科手術用アタッチメントが装着されている状態でＯＣＴ検査が可能になる。この明細書では、ＯＣＴ検査は、断面像や３次元画像の取得や、組織のサイズ（層の厚さ等）の測定や、機能的情報（血流情報等）の取得などを含むものとする。なお、ＯＣＴによる検査対象部位は、被検眼の任意の部位であってよく、たとえば、前眼部においては角膜や硝子体や水晶体や毛様体などであってよいし、後眼部においては網膜や脈絡膜や硝子体であってよい。また、検査対象部位は、瞼や眼窩など眼の周辺部位であってもよい。公知の手法により、眼科手術用アタッチメントを経由した測定光の戻り光に基づき被検眼の断面像や３次元画像を形成することが可能である。
【００１４】
この明細書では、ＯＣＴ検査を行うための測定光や被検眼からの測定光の戻り光をＯＣＴ光と総称することがある。また、ＯＣＴによって取得される画像をＯＣＴ画像と総称することがある。また、ＯＣＴ画像を形成するための計測動作をＯＣＴ計測と呼ぶことがある。なお、この明細書に記載された文献の記載内容を、以下の実施形態の内容として適宜援用することが可能である。
【００１５】
以下の実施形態では、フーリエドメインタイプのＯＣＴを適用した構成について説明する。特に、実施形態に係る眼科手術用顕微鏡（眼科手術用アタッチメント）は、公知のスウェプトソースＯＣＴの手法を用いて被検眼のＯＣＴ検査が可能である。
【００１６】
スウェプトソース以外のタイプ、たとえばスペクトラルドメインＯＣＴの手法を用いる眼科手術用顕微鏡に対して、この発明に係る構成を適用することも可能である。また、以下の実施形態ではＯＣＴの光学系を含むＯＣＴ装置と眼科手術用顕微鏡とを組み合わせた装置について説明するが、眼科手術用顕微鏡以外の眼科観察装置、たとえば走査型レーザ検眼鏡（Ｓｃａｎｎｉｎｇ  Ｌａｓｅｒ  Ｏｐｈｔｈａｌｍｏｓｃｏｐｅ：ＳＬＯ）、スリットランプ、眼底カメラなどに、この発明に係る構成を有するＯＣＴ装置を組み合わせることも可能である。
【００１７】
〈第１実施形態〉
図１および図２に、この実施形態に係る眼科手術用顕微鏡の光学系を示す。図１は、術者側から見たときの観察系の光学系の構成を表す。図２は、術者から見て側面側から見たときの図１の照明系および干渉光学系の光学系の構成を表す。図２において、図１と同様の部分には同一符号を付している。なお、図１および図２に示す構成に加え、術者の助手が被検眼Ｅを観察するための光学系（助手用顕微鏡）を設けることもできる。
【００１８】
この実施形態において、上下、左右、前後等の方向は、特に言及しない限り術者側から見た方向とする。なお、上下方向については、対物レンズから観察対象（被検眼Ｅ）に向かう方向を下方とし、これの反対方向を上方とする。一般に患者は仰向け状態で手術を受けるので、上下方向と垂直方向とは同じになる。
【００１９】
眼科手術用顕微鏡１の光学系は、照明系１０と、ＯＣＴ系２０と、光路結合部材３０と、偏向部材４０と、観察系５０と、対物レンズ７０とを含んで構成される。眼科手術用顕微鏡１は、当該眼科手術用顕微鏡に対して着脱可能に構成された眼科手術用アタッチメント１００を含む。ＯＣＴ系２０の少なくとも一部（たとえば、コリメートレンズ２２、光スキャナー２３、ＯＣＴレンズ２４）および光路結合部材３０は、眼科手術用アタッチメント１００内に設けられる。以下では、照明系１０、ＯＣＴ系２０、光路結合部材３０、および偏向部材４０については、主として図２を参照しながら説明する。観察系５０については、主として図１を参照しながら説明する。
【００２０】
眼科手術用顕微鏡１は、主対物レンズとしての対物レンズ７０の光軸上の位置に挿脱可能に構成された前置レンズ２００を含んで構成されていてもよい。前置レンズ２００は、対物レンズ７０の前側焦点位置と被検眼Ｅとの間の位置に配置可能である。前置レンズ２００は、照明系１０からの光を集束させて被検眼Ｅの眼内（網膜や硝子体等の後眼部）を照明する。前置レンズ２００としては、異なる屈折力（たとえば４０Ｄ、８０Ｄ、１２０Ｄ等）を有する複数個のレンズが用意されており、これらが択一的に使用される。図１は、前置レンズ２００が対物レンズ７０の光軸上の位置から退避されたときの状態を表している。図２は、前置レンズ２００が対物レンズ７０の光軸上の位置に挿入されたときの状態を表している。
【００２１】
（照明系）
照明系１０は、照明光源１１と、集光レンズ１２と、絞り（照明野絞り、視野絞り）１３と、レンズユニット１４とを含んで構成される。照明光源１１は、可視光を含む照明光を出射する。集光レンズ１２は、照明光源１１から出射された照明光を集光する。絞り１３は、集光レンズ１２により集光された照明光による照明野を制限する。絞り１３は、対物レンズ７０の前側焦点位置と光学的に共役な位置に設けられている。レンズユニット１４は、絞り１３を通過した光を平行光束にする１以上のレンズを有する。なお、図２は、レンズユニット１４が１つのレンズにより構成されている例を表しているが、レンズユニット１４が２以上のレンズにより構成されていてもよい。レンズユニット１４を通過した照明光は、観察系５０の対物レンズ７０を介して被検眼Ｅに向けて照射される。
【００２２】
（ＯＣＴ系）
ＯＣＴ系２０は、ＯＣＴによって被検眼Ｅを対物レンズ７０を介して検査するための光学系を含んで構成される。ＯＣＴ系２０は、従来のフーリエドメインタイプ（たとえば、スウェプトソースタイプ）のＯＣＴ装置と同様の構成を有する。すなわち、ＯＣＴ系２０は、干渉光学系２１と、コリメートレンズ２２と、フォーカス調整機構２２Ａと、光スキャナー２３と、ＯＣＴレンズ２４とを含む。
【００２３】
干渉光学系２１は、ＯＣＴ光源からの光を分割することにより得られた測定光および参照光のうち測定光を出射し、参照光と被検眼からの測定光の戻り光とを干渉させて干渉光を生成する。干渉光学系２１は、たとえば、分割部と、干渉部とを含む。分割部は、ＯＣＴ光源（たとえば、波長掃引型光源）からの光を測定光と参照光とに分割する。ＯＣＴ光源は、人眼では視認できない近赤外の波長帯の光を出射する。測定光は、被検眼Ｅに向けて出射される。参照光は、所定の参照光路に向けて出射される。干渉部は、被検眼Ｅを経由した測定光の戻り光と参照光路を経由した参照光とを干渉させて干渉光を生成する。干渉光学系２１により生成された干渉光は、図示しない検出部により検出される。検出部により得られた検出信号は、図示しない演算制御ユニットに送られる。演算制御ユニットは、従来のスウェプトソースタイプのＯＣＴ装置と同様に、検出信号に対してフーリエ変換等の演算処理を施す。なお、干渉光学系２１は、ＯＣＴ光源を含んで構成されていてもよい。
【００２４】
たとえば、干渉光学系２１には光ファイバーの一端が接続される。光ファイバーの他端は、コリメートレンズ２２に臨む位置に配置されている。干渉光学系２１から出射された測定光は、光ファイバーにより導光されてコリメートレンズ２２に入射する。また、コリメートレンズ２２を通過した測定光の戻り光は、光ファイバーにより導光されて干渉光学系２１の分割部に入射する。
【００２５】
コリメートレンズ２２は、干渉光学系２１から出射された測定光を平行光束にする。フォーカス調整機構２２Ａは、コリメートレンズ２２をＯＣＴ系２０の光軸に沿って移動させる。たとえば、フォーカス調整機構２２Ａは、コリメートレンズ２２を保持する保持部材と、この保持部材をＯＣＴ系２０の光軸方向に移動させるスライド機構と、駆動力を発生するアクチュエータと、この駆動力をスライド機構に伝達する部材とを含む。フォーカス調整機構２２Ａは、手動または自動によりコリメートレンズ２２を移動させることが可能である。手動で移動させる場合、フォーカス調整機構２２Ａは、図示しない操作部に対するユーザ（たとえば、術者）の操作内容に基づいてアクチュエータを制御することによりコリメートレンズ２２を移動させることが可能である。自動で移動させる場合、フォーカス調整機構２２Ａは、たとえば、図示しない制御部が被検眼Ｅからの測定光の戻り光や干渉光や検出信号の強度が所定の強度以上となるようにアクチュエータを制御することによりコリメートレンズ２２を移動させることが可能である。
【００２６】
光スキャナー２３は、コリメートレンズ２２によって平行光束にされた測定光を２次元的に偏向する。それにより、光スキャナー２３は、平行光束にされた測定光で被検眼Ｅをスキャンすることができる。光スキャナー２３は、たとえば、被検眼Ｅに対して設定されたスキャン平面内の第１方向に測定光を偏向する第１ガルバノミラーと、第１方向に直交する第２方向に測定光を偏向する第２ガルバノミラーと、これらを独立に駆動する機構とを含んで構成される。この場合、光スキャナー２３は、第１方向および第２方向により特定される平面上の任意の方向に測定光で被検眼Ｅをスキャンすることができる。
【００２７】
ＯＣＴレンズ２４は、光スキャナー２３と光路結合部材３０との間に配置され、変倍レンズとして機能する。光スキャナー２３により偏向された測定光は、ＯＣＴレンズ２４を通過し、光路結合部材３０に導かれる。
【００２８】
光路結合部材３０は、照明系１０の光路において絞り１３とレンズユニット１４との間に配置され、照明系１０の光路にＯＣＴ系２０の光路を結合する。具体的には、光路結合部材３０は、レンズユニット１４を構成する１以上のレンズのうち照明光源１１に光学的に最も近い位置に設けられたレンズに対向するように配置される。この実施形態では、照明系１０の光軸とＯＣＴ系２０の光軸とは、同軸となるように配置されている。たとえば、光路結合部材３０の反射面において、ＯＣＴ系２０の光軸の位置が照明系１０の光軸の位置に一致するように配置されている。光路結合部材３０の一例として、ダイクロイックミラーなどが挙げられる。コリメートレンズ２２と、フォーカス調整機構２２Ａと、光スキャナー２３と、ＯＣＴレンズ２４と、光路結合部材３０とは、眼科手術用アタッチメント１００内に設けられる。更に、干渉光学系２１が眼科手術用アタッチメント１００内に設けられていてもよい。更にまた、ＯＣＴ光源が眼科手術用アタッチメント１００内に設けられていてもよい。
【００２９】
偏向部材４０は、光路結合部材３０と対物レンズ７０との間に配置され、照明系１０の光路の光とＯＣＴ系２０の光路の光とを対物レンズ７０に向けて偏向する。偏向部材４０は、観察系５０に含まれていてもよい。偏向部材４０の一例として、ビームスプリッターやハーフミラーやダイクロイックミラーや１以上の反射部材により構成された落射照明ミラーなどがある。図１は、偏向部材４０がビームスプリッターである場合を表し、図２は、偏向部材４０が２つの反射部材４０ａ、４０ｂにより構成された落射照明ミラーである場合を表す。
【００３０】
偏向部材４０がビームスプリッターである場合、偏向部材４０は、観察系５０の光路に配置される。この場合、ビームスプリッター（偏向部材４０）は、観察系５０の光路とＯＣＴ系２０の光路とを同軸に結合する。
【００３１】
偏向部材４０が落射照明ミラーである場合、偏向部材４０は、観察系５０の光路外に配置されることが望ましい。図２において、レンズユニット１４を通過した光は反射部材４０ａ、４０ｂにより反射される。反射部材４０ａは、レンズユニット１４を通過した光のうち反射部材４０ｂにより反射されなかった光を反射するように配置される。
【００３２】
（観察系）
観察系５０は、照明系１０によって照明されている被検眼Ｅを対物レンズ７０を介して観察するための光学系を含んで構成される。観察系５０には、図１に示すように左右一対の観察系５０Ｌ、５０Ｒと、撮影光学系６０とが設けられている。左側の観察系５０Ｌを左観察系（左側観察光軸５０Ｌａ）と呼び、右側の観察系５０Ｒを右観察系（右側観察光軸５０Ｒａ）と呼ぶ。左右の観察系５０Ｌ、５０Ｒは、対物レンズ７０の光軸を挟むように配設されている。
【００３３】
左右の観察系５０Ｌ、５０Ｒは、それぞれ、変倍レンズ系５１、結像レンズ５２、像正立プリズム５３、眼幅調整プリズム５４、視野絞り５５および接眼レンズ５６を有する。右観察系５０Ｒには、変倍レンズ系５１と結像レンズ５２との間にビームスプリッター５７が設けられている。
【００３４】
変倍レンズ系５１は複数のズームレンズ５１ａ、５１ｂ、５１ｃを含んでいる。各ズームレンズ５１ａ〜５１ｃは、図示しない変倍機構によって左側観察光軸５０Ｌａまたは右側観察光軸５０Ｒａに沿う方向に移動可能とされる。それにより被検眼Ｅを観察または撮影する際の拡大倍率が変更される。
【００３５】
ビームスプリッター５７は、被検眼Ｅから右側観察光軸５０Ｒａに沿って導光された観察光の一部を分離して撮影光学系６０に導く。撮影光学系６０は、結像レンズ６１、反射ミラー６２および撮像部６３を含んで構成される。
【００３６】
撮像部６３は、撮像素子６３ａを備えている。撮像素子６３ａは、たとえば、ＣＣＤ（Ｃｈａｒｇｅ  Ｃｏｕｐｌｅｄ  Ｄｅｖｉｃｅｓ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等によって構成される。撮像素子６３ａには、２次元の受光面を有するもの（エリアセンサ）が用いられる。
【００３７】
眼科手術用顕微鏡１の使用時には、撮像素子６３ａの受光面は、たとえば、被検眼Ｅの角膜の表面と光学的に共役な位置、または、その角膜曲率半径の１／２だけ角膜頂点から深さ方向に離れた位置と光学的に共役な位置に配置される。
【００３８】
像正立プリズム５３は倒像を正立像に変換する。眼幅調整プリズム５４は、術者の眼幅（左眼と右眼との間の距離）に応じて左右の観察光の間の距離を調整するための光学素子である。視野絞り５５は、観察光の断面における周辺領域を遮蔽して術者の視野を制限する。
【００３９】
以上のような構成において、眼科手術用アタッチメント１００の装着状態にかかわらず、眼科手術用顕微鏡１は、照明光を被検眼Ｅに照射し、被検眼Ｅを観察することが可能である。すなわち、照明光源１１から出力された照明光は、集光レンズ１２により集光され、絞り１３および光路結合部材３０を経由して、レンズユニット１４により平行光束とされる。平行光束になった照明光は、偏向部材４０にて偏向され、対物レンズ７０を経由して被検眼Ｅに照射される。前置レンズ２００が対物レンズ７０の光軸上の位置に挿入されている場合、偏向部材４０によって偏向された照明光は、対物レンズ７０、前置レンズ２００を経由して被検眼Ｅに照射される。
【００４０】
被検眼Ｅに照射された照明光（の一部）は角膜または眼内にて反射される。被検眼Ｅによる照明光の反射光（観察光と呼ぶことがある）は、対物レンズ７０（場合によっては前置レンズ２００）を経由して観察系５０に入射する。このような構成により、接眼レンズ５６を介して被検眼Ｅの拡大像の観察が可能になる。また、撮像部６３を用いた撮像画像を図示しない表示部に表示させることもできる。
【００４１】
眼科手術用顕微鏡１に対して眼科手術用アタッチメント１００が装着されている場合、光路結合部材３０が、絞り１３とレンズユニット１４との間に配置される。ＯＣＴ光源からの光を分割することにより得られた測定光は、コリメートレンズ２２、光スキャナー２３、ＯＣＴレンズ２４を経由して、光路結合部材３０にて反射される。光路結合部材３０にて反射された測定光は、レンズユニット１４を経由して、偏向部材４０にて偏向された後、対物レンズ７０（更に、場合によっては、前置レンズ２００も）を通過して被検眼Ｅに到達する。被検眼Ｅで反射された測定光の戻り光は、上記と同じ経路を通って干渉光学系２１に戻る。干渉光学系２１は、ＯＣＴ光源からの光を分割することにより得られた参照光と、測定光の戻り光とを干渉させることにより干渉光を生成する。干渉光学系２１により生成された干渉光は、図示しない検出部により検出される。検出部により得られた検出信号は、図示しない演算制御ユニットに送られる。演算制御ユニットは、従来のスウェプトソースタイプのＯＣＴ装置と同様に、検出信号に対してフーリエ変換等の演算処理を施す。演算制御ユニットは、この演算処理の結果に基づき、被検眼Ｅの所定部位の断面像や３次元画像の形成や、組織のサイズ（層の厚さ等）の測定や、機能的情報（血流情報等）の生成などを行う。
【００４２】
この実施形態によれば、ＯＣＴ系２０の測定光および測定光の戻り光（ＯＣＴ光）が通過する光学素子の口径を大きくすることができるので、ＯＣＴ系２０の測定光の分解能に影響する開口数や測定光によるスキャン範囲を大きく設計することが可能になる。また、絞り１３とレンズユニット１４との間の位置で照明系１０の光路にＯＣＴ系２０の光路を結合するようにしたので、照明系１０とＯＣＴ系２０とでレンズユニット１４を共通化することができ、光学素子の削減による装置のコンパクト化を実現することが可能になる。
【００４３】
また、一般に、絞り１３とレンズユニット１４との間に、比較的広い物理的空間の確保が可能である。従って、コリメートレンズ２２、光スキャナー２３、ＯＣＴレンズ２４、および光路結合部材３０をモジュール化することにより、振動等により絞り１３の位置ずれや軸ずれなどの光学系への影響を与えることなく、眼科手術用顕微鏡１に対して着脱が容易な眼科手術用アタッチメント１００を提供することが可能になる。なお、絞り１３の位置ずれや軸ずれなどの調整機構を設けるようにしてもよい。
【００４４】
なお、この実施形態では、ＯＣＴ系２０の少なくとも一部および光路結合部材３０を眼科手術用アタッチメント１００としてモジュール化した場合について説明したが、これらをモジュール化しなくてもよい。
【００４５】
［作用・効果］
実施形態に係る眼科手術用顕微鏡および眼科手術用アタッチメントの作用および効果について説明する。
【００４６】
実施形態に係る眼科手術用顕微鏡（たとえば、眼科手術用顕微鏡１）は、対物レンズ（たとえば、対物レンズ７０）と、照明系（たとえば、照明系１０）と、観察系（たとえば、観察系５０）と、ＯＣＴ系（たとえば、ＯＣＴ系２０）と、光路結合部材（たとえば、光路結合部材３０）とを含む。照明系は、絞り（たとえば、絞り１３）と、レンズユニット（たとえば、レンズユニット１４）とを含み、レンズユニットを通過した光を対物レンズを介して被検眼（たとえば、被検眼Ｅ）に照射する。絞りは、光源からの光が照射される。レンズユニットは、絞りを通過した光を平行光束にする１以上のレンズを有する。観察系は、照明系によって照明されている被検眼を対物レンズを介して観察するために用いられる。ＯＣＴ系は、ＯＣＴによって被検眼を対物レンズを介して検査するために用いられる。光路結合部材は、絞りとレンズユニットとの間に配置され、ＯＣＴ系の光路を照明系の光路に結合する。
【００４７】
このような構成によれば、被検眼の手術に用いられる眼科手術用顕微鏡において、ＯＣＴ系の測定光が通過する光学素子の口径を大きくすることができるので、ＯＣＴ系の測定光の分解能に影響する開口数や測定光によるスキャン範囲を大きく設計することが可能になる。また、絞りとレンズユニットとの間の位置で照明系の光路にＯＣＴ系の光路を結合するようにしたので、照明系とＯＣＴ系とでレンズユニットを共通化することができ、光学素子の削減による装置のコンパクト化を実現することが可能になる。また、照明系の光路にＯＣＴ系の光路を結合するようにしたので、広範囲かつ高分解能なＯＣＴ検査が可能になる。
【００４８】
また、眼科手術用顕微鏡は、光路結合部材と対物レンズとの間に配置され、照明系の光路の光とＯＣＴ系の光路の光とを対物レンズに向けて偏向する偏向部材（たとえば、偏向部材４０）を含んでもよい。
【００４９】
このような構成によれば、対物レンズ側から被検眼を照明することができるので、装置のコンパクト化が可能になる。
【００５０】
また、偏向部材は、観察系の光路に配置されたビームスプリッターを含んでもよい。
【００５１】
このような構成によれば、照明光およびＯＣＴ系の光を偏向する偏向部材を観察光路に配置することができるので、装置のコンパクト化が可能になる。
【００５２】
また、ビームスプリッターは、観察系の光路とＯＣＴ系の光路とを同軸に結合してよい。
【００５３】
このような構成によれば、観察系により観察している状態に近い条件で、被検眼に対しＯＣＴの検査を行うことが可能になる。
【００５４】
また、ＯＣＴ系は、ＯＣＴ光源からの光を分割することにより得られた測定光および参照光のうち測定光を出射するとともに参照光と被検眼からの測定光の戻り光とを干渉させて干渉光を生成する干渉光学系（たとえば、干渉光学系２１）から出射された測定光を平行光束にするコリメートレンズ（たとえば、コリメートレンズ２２）と、コリメートレンズによって平行光束にされた測定光を２次元的に偏向する光スキャナー（たとえば、光スキャナー２３）と、光スキャナーと光路結合部材との間に配置されたＯＣＴレンズ（たとえば、ＯＣＴレンズ２４）とを含んでもよい。
【００５５】
このような構成によれば、被検眼の手術に用いられる眼科手術用顕微鏡において、公知の手法によりＯＣＴの検査を行うことができる。
【００５６】
また、眼科手術用顕微鏡は、コリメートレンズをＯＣＴ系の光軸に沿って移動させるフォーカス調整機構（たとえば、フォーカス調整機構２２Ａ）を含んでもよい。
【００５７】
このような構成によれば、被検眼の手術に用いられる眼科手術用顕微鏡において、最適な検査状態で高分解能なＯＣＴ検査が可能になる。
【００５８】
また、眼科手術用顕微鏡は、眼科手術用顕微鏡に対して着脱可能に構成された眼科手術用アタッチメント（たとえば、眼科手術用アタッチメント１００）を含み、コリメートレンズ、光スキャナー、ＯＣＴレンズ、および光路結合部材は、眼科手術用アタッチメント内に設けられてもよい。
【００５９】
このような構成によれば、コリメートレンズ、光スキャナー、ＯＣＴレンズ、および光路結合部材をモジュール化して眼科手術用顕微鏡に対して着脱可能にしたので、眼科手術用顕微鏡をＯＣＴ検査が可能な装置に切り換えることができる。
【００６０】
また、眼科手術用顕微鏡に対して着脱可能に構成され、ＯＣＴによって被検眼を対物レンズを介して検査するための眼科手術用アタッチメントは、コリメートレンズと、光スキャナーと、ＯＣＴレンズと、光路結合部材とを含み、眼科手術用顕微鏡に装着されているとき、光路結合部材が、絞りとレンズユニットとの間に配置されてもよい。眼科手術用顕微鏡は、対物レンズと、光源からの光が照射される絞りと、絞りを通過した光を平行光束にする１以上のレンズを有するレンズユニットとを含み、レンズユニットを通過した光を対物レンズを介して被検眼に照射する照明系と、照明系によって照明されている被検眼を対物レンズを介して観察するための観察系とを含む。干渉光学系は、ＯＣＴ光源からの光を分割することにより得られた測定光および参照光のうち測定光を出射し、参照光と被検眼からの測定光の戻り光とを干渉させて干渉光を生成する。コリメートレンズは、干渉光学系から出射された測定光を平行光束にする。光スキャナーは、コリメートレンズによって平行光束にされた測定光を２次元的に偏向する。ＯＣＴレンズには、光スキャナーによって偏向された測定光が通過する。光路結合部材は、ＯＣＴレンズを通過した測定光の光路を照明系の光路に結合するために用いられる。
【００６１】
このような構成によれば、コリメートレンズ、光スキャナー、ＯＣＴレンズ、および光路結合部材をモジュール化して眼科手術用顕微鏡に対して着脱が容易な眼科手術用アタッチメントを提供することが可能になる。一般に、絞りとレンズユニットとの間や、レンズユニットと対物レンズとの間は、比較的広い物理的空間の確保が可能である。従って、絞りの位置ずれや軸ずれなどの光学系への影響を与えることなく、眼科手術用顕微鏡をＯＣＴ検査が可能な装置に切り換えることができる。
【００６２】
<第２実施形態>
第１実施形態では、照明光路とＯＣＴ光路とが同軸に結合されるため、偏向部材４０や被検眼Ｅの虹彩（瞳孔）によって、ＯＣＴ系２０からの測定光などにケラレが発生するおそれがある。特に、偏向部材４０が落射照明ミラーにより構成された場合、落射照明ミラーを構成する反射部材は複雑な形状を有するため、ＯＣＴ系２０からの測定光などにケラレが発生することがある。測定光にケラレが発生すると、ＯＣＴスキャンの範囲が制限され、ＯＣＴ系２０の性能を十分に発揮することができない。
【００６３】
そこで、第２実施形態では、照明系の光軸とＯＣＴ系の光軸とは、非同軸となるように配置される。照明系の光軸とＯＣＴ系の光軸とは、非同軸となるように固定されていてもよいし、この実施形態のように両者の光軸を相対移動させることで光軸を調整できるようにしてもよい。
【００６４】
第２実施形態に係る眼科手術用顕微鏡の構成は、第１実施形態と同様である。以下では、第２実施形態について、第１実施形態との相違点を中心に説明する。
【００６５】
図３に、第２実施形態に係る眼科手術用顕微鏡の光学系を示す。図３において、図２と同様の部分には同一符号を付し、適宜説明を省略する。
【００６６】
第２実施形態に係る眼科手術用顕微鏡１ａの構成が第１実施形態に係る眼科手術用顕微鏡１の構成と異なる点は、光軸調整機構２１Ａを含む点である。ＯＣＴ系２０ａは、干渉光学系２１と、光軸調整機構２１Ａと、コリメートレンズ２２と、フォーカス調整機構２２Ａと、光スキャナー２３と、ＯＣＴレンズ２４とを含む。眼科手術用アタッチメント１００ａは、コリメートレンズ２２と、フォーカス調整機構２２Ａと、光スキャナー２３と、ＯＣＴレンズ２４と、光路結合部材３０とを含む。眼科手術用アタッチメント１００ａは、更に、干渉光学系２１と、光軸調整機構２１Ａとを含んで構成されていてもよい。眼科手術用アタッチメント１００ａは、更に、ＯＣＴ光源を含んで構成されていてもよい。
【００６７】
光軸調整機構２１Ａは、照明系１０の光軸とＯＣＴ系２０の光軸とを相対移動させる。光軸調整機構２１Ａは、たとえば、干渉光学系２１から出射された測定光の向きを変更することにより照明系１０の光軸とＯＣＴ系２０の光軸とを相対移動させる。干渉光学系２１から出射された測定光の向きを変更する方法として、干渉光学系２１から測定光を出射する光ファイバーの端部を傾ける方法や、干渉光学系２１を構成する光学素子を保持する筐体自体を傾ける方法などがある。光ファイバーの端部を傾ける場合、光軸調整機構２１Ａは、一端が干渉光学系２１に接続された光ファイバーの他端を移動可能に保持する保持部材と、所定の出射方向を基準に測定光の出射角度を変更するように保持部材を移動させる出射角度偏向部材と、駆動力を発生するアクチュエータと、この駆動力を出射角度偏向部材に伝達する部材とを含んで構成される。光軸調整機構２１Ａは、上記の機構によりＯＣＴ系２０の光軸を被検眼Ｅの瞳孔の中心方向に移動させることが可能である。
【００６８】
光軸調整機構２１Ａは、照明系１０の光軸（たとえば、照明光束の中心）とＯＣＴ系２０の光軸（たとえば、測定光束の中心）とが偏向部材４０（図３の場合は、反射部材４０ａ、４０ｂ）の反射面において異なる位置に配置されるように照明系１０の光軸とＯＣＴ系２０の光軸とを相対移動させる。この結果、光路結合部材３０は、照明系１０の光路にＯＣＴ系２０の光路を非同軸に結合する。
【００６９】
図４Ａおよび図４Ｂに、被検眼Ｅの眼底を観察するときの動作説明図を示す。被検眼Ｅの眼底を観察する場合、図３に示すように対物レンズ７０と被検眼Ｅとの間に前置レンズ２００が挿入される。図４Ａは、偏向部材４０（落射照明ミラー）により測定光にケラレが発生した場合に被検眼Ｅの瞳孔に入射された各光学系の瞳を模式的に表したものである。図４Ｂは、光軸調整機構２１Ａにより干渉光学系２１からの測定光の向きを変更したときの被検眼Ｅの瞳孔に入射された各光学系の瞳を模式的に表したものである。図４Ｂにおいて、図４Ａと同様の部分には同一符号を付し、適宜説明を省略する。
【００７０】
被検眼Ｅの眼底を観察する場合、虹彩Ｒによるケラレが発生しないように、照明系１０の照明瞳（像）と、観察系５０の観察瞳とが被検眼Ｅの瞳孔Ｐに配置される。たとえば、照明系１０により出射された照明光のうち反射部材４０ｂにより反射された照明光による照明瞳Ｌ１と、照明系１０により出射された照明光のうち反射部材４０ａにより反射された照明光による照明瞳Ｌ２と、左観察系５０Ｌの観察瞳Ｂ１と、右観察系５０Ｒの観察瞳Ｂ２とは、図４Ａに示すように、被検眼Ｅの瞳孔Ｐに配置される。ここで、偏向部材４０が複雑な形状を有する落射照明ミラーにより構成された場合、さらにＯＣＴ系２０のＯＣＴ瞳を瞳孔Ｐに配置すると、たとえば、照明瞳Ｌ１に重なるようにＯＣＴ系２０のＯＣＴ瞳Ｃ１が配置され、照明瞳Ｌ２に重なるようにＯＣＴ系２０のＯＣＴ瞳Ｃ２が配置されることがある。この場合、偏向部材４０（落射照明ミラー）によりＯＣＴ系２０の測定光にケラレが発生する。
【００７１】
この実施形態では、光軸調整機構２１Ａにより干渉光学系２１から出射された測定光の向きを変更すると、図４Ｂに示すように、照明瞳Ｌ１に重なるようにＯＣＴ系２０のＯＣＴ瞳Ｃ３を配置することができる。これにより、偏向部材４０による測定光のケラレの発生を抑えることができ、ＯＣＴスキャンの範囲が制限されることなく、ＯＣＴ系２０の性能を十分に発揮することが可能になる。
【００７２】
図５Ａおよび図５Ｂに、小瞳孔である被検眼Ｅの眼底を観察するときの動作説明図を示す。図５Ａは、小瞳孔である被検眼Ｅの虹彩により測定光にケラレが発生した場合に被検眼Ｅの瞳孔に入射された各光学系の瞳を模式的に表したものである。図５Ｂは、光軸調整機構２１Ａにより干渉光学系２１からの測定光の向きを変更したときの被検眼Ｅの瞳孔に入射された各光学系の瞳を模式的に表したものである。図５Ａ、図５Ｂにおいて、図４Ａ、図４Ｂと同様の部分には同一符号を付し、適宜説明を省略する。
【００７３】
被検眼Ｅが小瞳孔である場合、ＯＣＴ系２０のＯＣＴ瞳Ｃ３が図５Ａに示すように配置され、虹彩Ｒにより測定光にケラレが発生することがある。ここで、光軸調整機構２１Ａにより干渉光学系２１から出射された測定光の向きを変更すると、図５Ｂに示すように、瞳孔Ｐ内で照明瞳Ｌ１に重なるようにＯＣＴ系２０のＯＣＴ瞳Ｃ４を配置することができる。これにより、虹彩Ｒによる測定光のケラレの発生を抑えることができ、ＯＣＴスキャンの範囲が制限されることなく、ＯＣＴ系２０の性能を十分に発揮することが可能になる。特に、被検眼Ｅの眼底観察時に被検眼Ｅの瞳孔が小さく、装置の位置調整が十分でない場合に有効である。
【００７４】
なお、この実施形態では、光軸調整機構２１ＡはＯＣＴ系２０の光軸を調整する場合について説明したが、照明系１０から出射される照明光の向きを変更することにより照明系１０の光軸とＯＣＴ系２０の光軸とを相対移動させるようにしてもよい。
【００７５】
［作用・効果］
実施形態に係る眼科手術用顕微鏡は、照明系の光軸とＯＣＴ系の光軸とを相対移動させる光軸調整機構（たとえば、光軸調整機構２１Ａ）を含んでもよい。
【００７６】
このような構成によれば、偏向部材や被検眼の虹彩によるＯＣＴ系の光のケラレの発生を抑えることができ、ＯＣＴスキャンの範囲が制限されることなく、ＯＣＴ系の性能を十分に発揮することが可能になる。
【００７７】
また、光軸調整機構は、ＯＣＴ光源からの光を分割することにより得られた測定光および参照光のうち前記測定光を出射するとともに前記参照光と前記被検眼からの前記測定光の戻り光とを干渉させて干渉光を生成する干渉光学系から出射された測定光の向きを変更することにより照明系の光軸とＯＣＴ系の光軸とを相対移動させてもよい。
【００７８】
このような構成によれば、比較的簡素な構成で、ＯＣＴ系の性能を十分に発揮することが可能な眼科手術用顕微鏡を提供することができるようになる。
【００７９】
<第３実施形態>
第１実施形態または第２実施形態では、光路結合部材３０が絞り１３とレンズユニット１４との間に配置された場合について説明したが、実施形態に係る眼科手術用顕微鏡の構成はこれに限定されるものではない。
【００８０】
第３実施形態では、光路結合部材３０がレンズユニット１４と対物レンズ７０との間に配置される。照明系の光軸とＯＣＴ系の光軸とは、同軸となるように配置される。
【００８１】
第３実施形態に係る眼科手術用顕微鏡の構成は、第１実施形態と同様である。以下では、第３実施形態について、第１実施形態との相違点を中心に説明する。
【００８２】
図６に、第３実施形態に係る眼科手術用顕微鏡の光学系を示す。図６において、図２と同様の部分には同一符号を付し、適宜説明を省略する。
【００８３】
第３実施形態に係る眼科手術用顕微鏡１ｂの構成が第１実施形態に係る眼科手術用顕微鏡１の構成と異なる主な点は、光路結合部材３０がレンズユニット１４と対物レンズ７０（偏向部材４０）との間に配置される点と、ＯＣＴレンズ２４に代えて２以上のレンズにより構成されたＯＣＴレンズ２４ｂが設けられた点である。
【００８４】
光路結合部材３０は、照明系１０の光路においてレンズユニット１４と対物レンズ７０との間に配置され、照明系１０の光路にＯＣＴ系２０の光路を結合する。具体的には、光路結合部材３０は、レンズユニット１４を構成する１以上のレンズのうち対物レンズ７０に光学的に最も近い位置に設けられたレンズに対向するように配置される。なお、図６では、光路結合部材３０と対物レンズ７０との間に偏向部材４０が配置されている。
【００８５】
この実施形態では、ＯＣＴ系２０の測定光はレンズユニット１４を通過することなく被検眼Ｅに照射される。そのため、たとえば、図６に示すようにＯＣＴレンズ２４ｂを設けることにより、測定光の透過損失や収差を考慮した設計が可能になる。従って、この実施形態によれば、照明系１０とＯＣＴ系２０とによりレンズユニット１４が共用される第１実施形態と比較し、ＯＣＴ系２０からの測定光によるＯＣＴ検査の精度を向上させることが可能になる。
【００８６】
また、この実施形態では、照明系１０による照明光が平行光束にされた平行光路に光路結合部材３０が配置される。そのため、眼科手術用顕微鏡１に対する眼科手術用アタッチメント１００ｂの着脱に伴う照明系１０への影響（たとえば、照明系１０の光学素子の位置ずれなど）を低減させることができる。
【００８７】
［作用・効果］
実施形態に係る眼科手術用顕微鏡は、対物レンズと、光源からの光が照射される絞りと、絞りを通過した光を平行光束にする１以上のレンズを有するレンズユニットとを含み、レンズユニットを通過した光を対物レンズを介して被検眼に照射する照明系と、照明系によって照明されている被検眼を対物レンズを介して観察するための観察系と、ＯＣＴによって被検眼を対物レンズを介して検査するためのＯＣＴ系と、レンズユニットと対物レンズとの間に配置され、ＯＣＴ系の光路を照明系の光路に結合する光路結合部材とを含む。
【００８８】
このような構成によれば、被検眼の手術に用いられる眼科手術用顕微鏡において、ＯＣＴ系の測定光が通過する光学素子の口径を大きくすることができるので、ＯＣＴ系の測定光の分解能に影響する開口数や測定光によるスキャン範囲を大きく設計することが可能になる。また、レンズユニットと対物レンズとの間の位置で照明系の光路にＯＣＴ系の光路を結合するようにしたので、ＯＣＴ系だけを考慮した設計によりＯＣＴ検査の精度を向上させることが可能になる。また、少なくとも対物レンズ７０等の光学素子を共通化しているため、光学素子の削減による装置のコンパクト化を実現することが可能になる。また、第１実施形態と同様に広範囲かつ高分解能なＯＣＴ検査が可能になる。
【００８９】
また、実施形態に係る眼科手術用アタッチメントは、対物レンズと、光源からの光が照射される絞りと、絞りを通過した光を平行光束にする１以上のレンズを有するレンズユニットとを含み、レンズユニットを通過した光を対物レンズを介して被検眼に照射する照明系と、照明系によって照明されている被検眼を対物レンズを介して観察するための観察系とを含む眼科手術用顕微鏡に対して着脱可能に構成され、ＯＣＴによって被検眼を対物レンズを介して検査するために用いられる。眼科手術用アタッチメントは、ＯＣＴ光源からの光を分割することにより得られた測定光および参照光のうち測定光を出射するとともに参照光と被検眼からの測定光の戻り光とを干渉させて干渉光を生成する干渉光学系から出射された測定光を平行光束にするコリメートレンズと、コリメートレンズによって平行光束にされた測定光を２次元的に偏向する光スキャナーと、光スキャナーによって偏向された測定光が通過するＯＣＴレンズと、ＯＣＴレンズを通過した測定光の光路を照明系の光路に結合するための光路結合部材とを含み、眼科手術用顕微鏡に装着されているとき、光路結合部材が、レンズユニットと対物レンズとの間に配置される。
【００９０】
このような構成によれば、コリメートレンズ、光スキャナー、ＯＣＴレンズ、および光路結合部材をモジュール化して眼科手術用顕微鏡に対して着脱が容易な眼科手術用アタッチメントを提供することが可能になる。レンズユニットと対物レンズとの間は、比較的広い物理的空間の確保が可能である。従って、レンズユニットの位置ずれや軸ずれなどの光学系への影響を与えることなく、眼科手術用顕微鏡をＯＣＴ検査が可能な装置に切り換えることができる。
【００９１】
<第４実施形態>
第３実施形態では、第１実施形態と同様に照明光路とＯＣＴ光路とが同軸に結合されているため、ＯＣＴ系２０からの測定光などにケラレが発生し、ＯＣＴスキャンの範囲が制限され、ＯＣＴ系２０の性能を十分に発揮することができない場合がある。
【００９２】
そこで、第４実施形態では、第３実施形態と同様に、第２実施形態と同様に照明系の光軸とＯＣＴ系の光軸とは非同軸となるように配置される。照明系の光軸とＯＣＴ系の光軸とは、非同軸となるように固定されていてもよいし、この実施形態のように両者の光軸を相対移動させることで光軸を調整できるようにしてもよい。
【００９３】
第４実施形態に係る眼科手術用顕微鏡の構成は、第３実施形態と同様である。以下では、第４実施形態について、第３実施形態との相違点を中心に説明する。
【００９４】
図７に、第４実施形態に係る眼科手術用顕微鏡の光学系を示す。図７において、図６と同様の部分には同一符号を付し、適宜説明を省略する。
【００９５】
第４実施形態に係る眼科手術用顕微鏡１ｃの構成が第３実施形態に係る眼科手術用顕微鏡１ｂの構成と異なる点は、第２実施形態と同様の光軸調整機構２１Ａを含む点である。ＯＣＴ系２０ｃは、干渉光学系２１と、光軸調整機構２１Ａと、コリメートレンズ２２と、フォーカス調整機構２２Ａと、光スキャナー２３と、ＯＣＴレンズ２４ｂとを含む。眼科手術用アタッチメント１００ｃは、コリメートレンズ２２と、フォーカス調整機構２２Ａと、光スキャナー２３と、ＯＣＴレンズ２４ｂと、光路結合部材３０とを含む。眼科手術用アタッチメント１００ｃは、更に、干渉光学系２１と、光軸調整機構２１Ａとを含んで構成されていてもよい。眼科手術用アタッチメント１００ｃは、更に、ＯＣＴ光源を含んで構成されていてもよい。
【００９６】
光軸調整機構２１Ａは、照明系１０の光軸とＯＣＴ系２０ｃの光軸とを相対移動させる。光軸調整機構２１Ａは、たとえば、干渉光学系２１から出射された測定光の向きを変更することにより照明系１０の光軸とＯＣＴ系２０ｃの光軸とを相対移動させる。光軸調整機構２１Ａについては、第２実施形態と同様であるため詳細な説明を省略する。なお、光軸調整機構２１Ａは、たとえば、照明系１０から出射される照明光の向きを変更することにより照明系１０の光軸とＯＣＴ系２０ｃの光軸とを相対移動させるようにしてもよい。
【００９７】
図８Ａおよび図８Ｂに、被検眼Ｅの眼底を観察するときの動作説明図を示す。図８Ａは、位置ずれにより測定光にケラレが発生した場合に被検眼Ｅの瞳孔に入射された各光学系の瞳を模式的に表したものである。図８Ｂは、光軸調整機構２１Ａにより干渉光学系２１からの測定光の向きを変更したときの被検眼Ｅの瞳孔に入射された各光学系の瞳を模式的に表したものである。図８Ｂにおいて、図８Ａと同様の部分には同一符号を付し、適宜説明を省略する。
【００９８】
たとえば、対物レンズ７０の光軸に対する被検眼Ｅの位置ずれがある場合、ＯＣＴ系２０ｃのＯＣＴ瞳Ｃ４が図８Ａに示すように配置され、測定光にケラレが発生することがある。ここで、光軸調整機構２１Ａにより干渉光学系２１から出射された測定光の向きを変更すると、図８Ｂに示すように、瞳孔Ｐ内で照明瞳Ｌ１に重なるようにＯＣＴ系２０ｃのＯＣＴ瞳Ｃ５を配置することができる。これにより、位置ずれによる測定光のケラレの発生を抑えることができ、ＯＣＴスキャンの範囲が制限されることなく、ＯＣＴ系２０ｃの性能を十分に発揮することが可能になる。
【００９９】
以上のように、この実施形態によれば、第３実施形態の効果に加えて、第２実施形態と同様に光軸を調整することによる効果を得ることが可能になる。
【０１００】
<第５実施形態>
第４実施形態では、干渉光学系から出射された測定光の向きを変更することにより照明系の光軸に対してＯＣＴ系の光軸をシフトさせた場合について説明したが、実施形態に係る眼科手術用顕微鏡の構成はこれに限定されるものではない。
【０１０１】
第５実施形態では、光スキャナー２３とＯＣＴレンズ２４ｂとを一体となって平行移動させることにより、照明系の光軸に対してＯＣＴ系の光軸をシフトさせる。
【０１０２】
第５実施形態に係る眼科手術用顕微鏡の構成は、第３実施形態と同様である。以下では、第５実施形態について、第３実施形態との相違点を中心に説明する。
【０１０３】
図９に、第５実施形態に係る眼科手術用顕微鏡の光学系を示す。図９において、図６と同様の部分には同一符号を付し、適宜説明を省略する。
【０１０４】
第５実施形態に係る眼科手術用顕微鏡１ｄの構成が第３実施形態に係る眼科手術用顕微鏡１ｂの構成と異なる点は、光スキャナー２３およびＯＣＴレンズ２４ｂがスキャナーユニット２５として一体化された点と、スキャナーユニット２５を平行移動させる光軸調整機構２５Ａが設けられた点である。ＯＣＴ系２０ｄは、干渉光学系２１と、コリメートレンズ２２と、フォーカス調整機構２２Ａと、光スキャナー２３とＯＣＴレンズ２４ｂとを含むスキャナーユニット２５と、光軸調整機構２５Ａとを含む。眼科手術用アタッチメント１００ｄは、コリメートレンズ２２と、フォーカス調整機構２２Ａと、光スキャナー２３とＯＣＴレンズ２４ｂとを含むスキャナーユニット２５と、光軸調整機構２５Ａと、光路結合部材３０とを含む。眼科手術用アタッチメント１００ｄは、更に、干渉光学系２１と、光軸調整機構２１Ａとを含んで構成されていてもよい。眼科手術用アタッチメント１００ｄは、更に、ＯＣＴ光源を含んで構成されていてもよい。
【０１０５】
光軸調整機構２５Ａは、スキャナーユニット２５を平行移動させる。たとえば、光軸調整機構２５Ａは、照明系１０の光軸と平行な第３方向と第３方向に直交する第４方向とにスキャナーユニット２５を平行移動させる。これにより、照明系１０の光軸とＯＣＴ系２０ｄの光軸とが偏向部材４０の反射面において異なる位置に配置されるように照明系１０の光軸とＯＣＴ系２０ｄの光軸とを相対移動させることができる。第５実施形態では、照明光が平行光束にされた平行光路に光路結合部材３０が配置されるため、レンズユニット１４による屈折の影響を受けることなく、被検眼Ｅにおけるスキャン平面の位置を高精度に調整することができる。また、第２実施形態や第４実施形態と比較して、光軸を広範囲にずらすことができる。
【０１０６】
［作用・効果］
実施形態に係る眼科手術用顕微鏡は、照明系（たとえば、照明系１０）の光軸とＯＣＴ系（たとえば、ＯＣＴ系２０ｄ）の光軸とを相対移動させる光軸調整機構（たとえば、光軸調整機構２５Ａ）を含み、光路結合部材は、レンズユニットと対物レンズとの間に配置される。光軸調整機構は、光スキャナーおよびＯＣＴレンズの位置を変更することにより照明系の光軸とＯＣＴ系の光軸とを相対移動させる。
【０１０７】
このような構成によれば、照明光が平行光束にされた平行光路に光路結合部材が配置されるため、レンズユニットによる屈折の影響を受けることなく、被検眼におけるスキャン平面の位置を高精度に調整することができる。また、ＯＣＴ系の光のケラレの発生を抑えることができ、ＯＣＴスキャンの範囲が制限されることなく、ＯＣＴ系の性能を十分に発揮することが可能になる。
【０１０８】
<第６実施形態>
照明系の光軸に対してＯＣＴ系の光軸をシフトさせる構成は、第４実施形態または第５実施形態の構成に限定されるものではない。
【０１０９】
第６実施形態では、光スキャナーと光路結合部材との間にＯＣＴ系の光軸に対して入射面を傾けて配置することが可能な平行平面板を設けることにより照明系の光軸に対してＯＣＴ系の光軸をシフトさせる。
【０１１０】
第６実施形態に係る眼科手術用顕微鏡の構成は、第３実施形態と同様である。以下では、第６実施形態について、第３実施形態との相違点を中心に説明する。
【０１１１】
図１０に、第６実施形態に係る眼科手術用顕微鏡の光学系を示す。図１０において、図６と同様の部分には同一符号を付し、適宜説明を省略する。
【０１１２】
第６実施形態に係る眼科手術用顕微鏡１ｅの構成が第３実施形態に係る眼科手術用顕微鏡１ｂの構成と異なる点は、光スキャナー２３と光路結合部材３０との間に挿脱可能に構成された平行平面板２６と、平行平面板２６を移動させる光軸調整機構２６Ａとが設けられた点である。ＯＣＴ系２０ｅは、干渉光学系２１と、コリメートレンズ２２と、フォーカス調整機構２２Ａと、光スキャナー２３と、ＯＣＴレンズ２４ｂと、平行平面板２６と、光軸調整機構２６Ａとを含む。眼科手術用アタッチメント１００ｅは、コリメートレンズ２２と、フォーカス調整機構２２Ａと、光スキャナー２３と、ＯＣＴレンズ２４ｂと、平行平面板２６と、光軸調整機構２６Ａと、光路結合部材３０とを含む。眼科手術用アタッチメント１００ｅは、更に、干渉光学系２１と、光軸調整機構２１Ａとを含んで構成されていてもよい。眼科手術用アタッチメント１００ｅは、更に、ＯＣＴ光源を含んで構成されていてもよい。
【０１１３】
平行平面板２６は、たとえば、入射面と出射面とが平行になるように設けられた光学素子であり、ＯＣＴ系２０ｅにおいて測定光またはその戻り光を透過させる。平行平面板２６は、光スキャナー２３と光路結合部材３０との間に挿脱可能に構成され、光スキャナー２３と光路結合部材３０との間に挿入されているとき入射面がＯＣＴ系２０ｅの光軸に対して傾いた状態で配置される。図１０では、平行平面板２６は、ＯＣＴレンズ２４ｂと光路結合部材３０との間に挿脱可能に構成される。
【０１１４】
光軸調整機構２６Ａは、ＯＣＴレンズ２４ｂと光路結合部材３０との間のＯＣＴ系２０ｅの光軸上の位置で挿脱されるように平行平面板２６を移動させる。これにより、平行平面板２６を通過した光が屈折し、照明系１０の光軸とＯＣＴ系２０ｅの光軸とが偏向部材４０の反射面において異なる位置に配置されるように照明系１０の光軸とＯＣＴ系２０ｅの光軸とを相対移動させることができる。第６実施形態では、照明光が平行光束にされた平行光路に光路結合部材３０が配置されるため、レンズユニット１４による屈折の影響を受けることなく、被検眼Ｅにおけるスキャン平面の位置を段階的に調整することができる。
【０１１５】
なお、ＯＣＴレンズ２４ｂと光路結合部材３０との間の位置で平行平面板２６が配置されている状態で、光軸調整機構２６Ａにより更に平行平面板２６の入射面の向きを変更可能に構成することで、被検眼Ｅにおけるスキャン平面の位置をより細かく調整することができる。また、ＯＣＴレンズ２４ｂと光路結合部材３０との間の位置であらかじめ平行平面板２６が固定して配置され、光軸調整機構２６Ａにより平行平面板２６の入射面の向きを変更できるようにしてもよい。
【０１１６】
［作用・効果］
以上のように、実施形態に係る眼科手術用顕微鏡は、ＯＣＴ系（たとえば、ＯＣＴ系２０ｅ）の光軸に対して入射面が傾斜配置され、光スキャナーと光路結合部材との間に挿脱可能に構成された平行平面板（たとえば、平行平面板２６）と、光スキャナーと光路結合部材との間の位置で平行平面板を挿脱させる光軸調整機構（たとえば、光軸調整機構２６Ａ）とを含み、光路結合部材は、レンズユニットと対物レンズとの間に配置され、光軸調整機構は、光スキャナーと光路結合部材との間の位置で平行平面板を挿脱させることにより照明系の光軸とＯＣＴ系の光軸とを相対移動させる。
【０１１７】
また、実施形態に係る眼科手術用顕微鏡は、光スキャナーと光路結合部材との間に配置され、ＯＣＴ系の光軸に対する入射面の向きが変更可能に構成された平行平面板（たとえば、平行平面板２６）と、入射面の向きを変更する光軸調整機構（たとえば、光軸調整機構２６Ａ）とを含み、光路結合部材は、レンズユニットと対物レンズとの間に配置され、光軸調整機構は、入射面の向きを変更することにより照明系の光軸とＯＣＴ系の光軸とを相対移動させる。
【０１１８】
上記のいずれかの構成によれば、照明光が平行光束にされた平行光路に光路結合部材が配置されるため、レンズユニットによる屈折の影響を受けることなく、被検眼におけるスキャン平面の位置を高精度に調整することができる。また、ＯＣＴ系の光のケラレの発生を抑えることができ、ＯＣＴスキャンの範囲が制限されることなく、ＯＣＴ系の性能を十分に発揮することが可能になる。
【０１１９】
<第７実施形態>
上記の光軸調整機構を備えた眼科手術用顕微鏡において、偏向部材４０の少なくとも一部に観察光軸上に配置されたビームスプリッターを設けることにより、ＯＣＴ系の光軸と観察光軸とが同軸である同軸状態、ＯＣＴ系の光軸と観察光軸とが非同軸である非同軸状態を切り換え可能にすることができる。
【０１２０】
第７実施形態に係る眼科手術用顕微鏡の構成は、第６実施形態と同様である。以下では、第７実施形態について、第６実施形態との相違点を中心に説明する。
【０１２１】
図１１に、第７実施形態に係る眼科手術用顕微鏡の光学系を示す。図１１において、図１０と同様の部分には同一符号を付し、適宜説明を省略する。
【０１２２】
第７実施形態に係る眼科手術用顕微鏡１ｆの構成が第６実施形態に係る眼科手術用顕微鏡１ｅの構成と異なる点は、偏向部材４０に代えて偏向部材４０Ａが設けられた点である。偏向部材４０Ａは、反射部材４０ｆと、ビームスプリッター４０ｇとを含む。ビームスプリッター４０ｇは、観察系５０の観察光軸（左側観察光軸５０Ｌａまたは右側観察光軸５０Ｒａ）上に配置され、照明系１０の光路と観察系５０の光路とを結合する。なお、偏向部材４０Ａは、ビームスプリッター４０ｇに代えて、ダイクロイックミラーやハーフミラーなどの他の光学素子により、照明系１０の光路と観察系５０の光路とを結合してもよい。
【０１２３】
このような構成において、光軸調整機構２６Ａにより照明系１０の光軸に対してＯＣＴ系２０ｅの光軸を調整することにより、ＯＣＴ系２０ｅの光軸を観察光軸に対して同軸に調整したり、非同軸に調整したりすることができる。
【０１２４】
図１２Ａおよび図１２Ｂに、被検眼Ｅの眼底を観察するときの動作説明図を示す。図１２Ａは、ＯＣＴ系２０ｅの光軸を観察光軸と同軸に調整した場合に被検眼Ｅの瞳孔に入射された各光学系の瞳を模式的に表したものである。図１２Ｂは、ＯＣＴ系２０ｅの光軸を観察光軸と非同軸に調整した場合に被検眼Ｅの瞳孔に入射された各光学系の瞳を模式的に表したものである。図１２Ｂにおいて、図１２Ａと同様の部分には同一符号を付し、適宜説明を省略する。
【０１２５】
ＯＣＴ系２０ｅの光軸を観察光軸と同軸になるように調整したとき、ＯＣＴ系２０ｅのＯＣＴ瞳Ｃ６が、図１２Ａに示すように、左側の観察系５０Ｌの観察瞳Ｂ１に重なるように配置される。このとき、観察系５０により観察している状態に近い条件でＯＣＴによる検査が可能になる。
【０１２６】
これに対して、ＯＣＴ系２０ｅの光軸を観察光軸と非同軸になるように調整したとき、ＯＣＴ系２０ｅのＯＣＴ瞳Ｃ７が、図１２Ｂに示すように、左観察系５０Ｌの観察瞳Ｂ１と右観察系５０Ｒの観察瞳Ｂ２との間に配置される。このとき、上記のようなケラレの発生を抑えることができ、ＯＣＴスキャンの範囲が制限されることなく、ＯＣＴ系２０ｅの性能を十分に発揮することが可能になる。
【０１２７】
［その他の変形例］
以上に示された実施形態は、この発明を実施するための一例に過ぎない。この発明を実施しようとする者は、この発明の要旨の範囲内において任意の変形、省略、追加等を施すことが可能である。
【０１２８】
第１実施形態〜第７実施形態において説明した構成を任意に組み合わせることが可能である。たとえば、第１実施形態〜第７実施形態のうち２以上の実施形態の適用が可能なシステムにおいて、当該２以上の実施形態のうち所望の実施形態を動作モードの切り替えにより択一的に適用にすることが可能である。
【符号の説明】
【０１２９】
１、１ａ、１ｂ、１ｃ、１ｄ、１ｅ、１ｆ  眼科手術用顕微鏡
１０  照明系
１１  照明光源
１２  集光レンズ
１３  絞り
１４  レンズユニット
２０、２０ａ、２０ｃ、２０ｄ、２０ｅ  ＯＣＴ系
２１  干渉光学系
２１Ａ、２５Ａ、２６Ａ  光軸調整機構
２２  コリメートレンズ
２２Ａ  フォーカス調整機構
２３  光スキャナー
２４、２４ｂ  ＯＣＴレンズ
２５  スキャナーユニット
２６  平行平面板
３０  光路結合部材
４０、４０Ａ  偏向部材
４０ａ、４０ｂ、４０ｆ  反射部材
４０ｇ  ビームスプリッター
７０  対物レンズ
１００、１００ａ、１００ｂ、１００ｃ、１００ｄ、１００ｅ  眼科手術用アタッチメント
２００  前置レンズ
Ｅ  被検眼
【図１】
2019013803.tif 000003
【図２】
2019013803.tif 000004
【図３】
2019013803.tif 000005
【図４Ａ】
2019013803.tif 000006
【図４Ｂ】
2019013803.tif 000007
【図５Ａ】
2019013803.tif 000008
【図５Ｂ】
2019013803.tif 000009
【図６】
2019013803.tif 000010
【図７】
2019013803.tif 000011
【図８Ａ】
2019013803.tif 000012
【図８Ｂ】
2019013803.tif 000013
【図９】
2019013803.tif 000014
【図１０】
2019013803.tif 000015
【図１１】
2019013803.tif 000016
【図１２Ａ】
2019013803.tif 000017
【図１２Ｂ】
2019013803.tif 000018